(57)【特許請求の範囲】
【請求項１】
−袋（１）の側部と底部（２）を規定するように合体された第１および第２の壁（１０、２０）と、
−該第１および第２の壁（１０、２０）にそれぞれ連結された第１および第２の支持ウェブ（３０、３２）を含んでなり、各々が相補的な閉鎖要素（３４）を含む、閉鎖アセンブリ（３）を含んでなる、袋（１）であって、
該第１の支持ウェブ（３０）と袋（１）の第１の壁（１０）との間に、袋（１）の外側からの少なくとも１つの通路（４０）を設け、該通路（４０）が、該袋（１）の該壁（１０、２０）の離開の時に該閉鎖要素（３４）の局所的な相対配向を変更することおよび該相補的な閉鎖要素（３４）の離開を促進することの可能な、該第１の支持ウェブ（３０）の局所的な変形をさせるために
−該第１の支持ウェブ（３０）が上端、上部（３０ａ）、下端および下部（３０ｂ）を有し、該下端および該下部（３０ｂ）は該上端および該上部（３０ａ）よりも該袋（１）の該底部（２）に近く、該袋（１）は、該上部が該袋（１）の該第１の壁（１０）に不連続に連結されていること、および
−該第１の支持ウェブ（３０）の該上部が、第１の部分（Ａ）に沿って該第１の壁に連続的に取り付けられ、第２の部分（Ｂ）に沿って該第１の壁（１０）から連続的に離れ、および
−第１の支持ウェブ（３０）の下部が、その高さの全部または一部にわたって、第２の部分（Ｂ）に沿って第１の壁（１０）に連続的に取り付けられることを特徴とし、
ここで、前記通路（４０）が、前記袋（１）の両側に伸びる方向に、１２ｍｍ〜３５ｍｍの長さを有する、袋（１）。
【請求項２】
前記第１の支持ウェブ（３０）の前記下部が、前記袋（１）の側部間の前記第１の壁（１０）に連続的に連結されている、請求項１に記載の袋（１）。
【請求項３】
該下部（３０ｂ）が前記閉鎖要素（３４）を有する、請求項１または２に記載の袋（１）。
【請求項４】
前記第１の支持ウェブ（３０）の該上部（３０ａ）が前記通路（４０）を設けるように局所的に切り取られている、請求項２に記載の袋（１）。
【請求項５】
前記第２の支持ウェブ（３２）が前記第２の壁（２０）にヒンジ結合され、前記相補的な閉鎖要素（３４）が係合した場合に前記袋（１）の前記壁（１０、２０）にかかる張力が、前記相補的な閉鎖要素（３４）の周りでの前記支持ウェブ（３０、３２）の回転をもたらす、請求項１〜４のいずれか一項に記載の袋（１）。
【請求項６】
前記第２の支持ウェブ（３２）が前記第２の壁（２０）上で、前記閉鎖要素（３４）に重ならず、前記閉鎖要素（３４）に対してずれている局所領域（３３）に取り付けられ、前記第２の壁（２０）に前記第２の支持ウェブ（３２）がヒンジ結合されている、請求項５に記載の袋（１）。
【請求項７】
前記第２の支持ウェブ（３２）が下部（３２ｂ）と上部に分けられ、該下部が該上部（３２ａ）よりも前記底部（２）に近く、前記閉鎖要素（３４）を有し、前記第２の壁（２０）において前記第２の支持ウェブ（３２）が取り付けられている前記局所領域（３３）が、前記第２の支持ウェブ（３２）の該下部（３２ｂ）の部分である、請求項６に記載の袋（１）。
【請求項８】
前記第２の支持ウェブ（３２）の前記上部（３２ａ）の高さが、前記閉鎖要素（３４）の高さよりも低い、請求項７に記載の袋（１）。
【請求項９】
前記第１の支持ウェブ（３０）および前記第２の支持ウェブ（３２）が、それぞれ第１および第２の延長ウェブ（１２、１４）を介して前記第１および第２の壁（１０、２０）に連結されていて、前記支持ウェブ（３０、３２）の少なくとも１つがその上端から少し離れて該延長ウェブ（１２、１４）に取り付けられている、請求項８に記載の袋（１）。
【請求項１０】
少なくとも１つの支持ウェブ（３０、３２）が、該支持ウェブ（３０、３２）に支持される前記相補的な閉鎖要素（３４）に隣接する領域において対応する前記延長ウェブ（１２、１４）に取り付けられている、請求項９に記載の袋（１）。
【請求項１１】
前記相補的な閉鎖要素（３４）が、各々、少なくとも１個の相補的形材を含んでなる、請求項１〜１０のいずれか一項に記載の袋（１）。
【請求項１２】
前記相補的な閉鎖要素（３４）が、各々、少なくとも２個の相補的形材を含んでなる、請求項１〜１０のいずれか一項に記載の袋（１）。
【請求項１３】
前記相補的な閉鎖要素（３４）が、各々、３〜６個の間の相補的形材を含んでなる、請求項１〜１０のいずれか一項に記載の袋（１）。
【請求項１４】
前記相補的形材の全部または一部が、側部に対し実質的に平行な逐次改変を含んでなる、請求項１１〜１３のいずれか一項に記載の袋（１）。
【請求項１５】
前記相補的形材の全部または一部が、側部に対し実質的に平行な逐次圧潰を含んでなる、請求項１１〜１３のいずれか一項に記載の袋（１）。
【発明の詳細な説明】
【技術分野】
【０００１】
本発明は、包装袋の分野に関する。
【０００２】
より正確には、本発明は、例えば限定されないが相補的な形材の形態の開閉手段を備える包装袋の分野に関する。
【背景技術】
【０００３】
多くの包装袋およびこの目的のための多くの閉鎖装置は既に提案されている。
【０００４】
この目的のための公知の閉鎖装置の大部分は、例えば雌／雄型またはベルクロ型の、またはさらに相補的フック型の、それぞれの支持ウェブに支持される２つの相補的形材を含む。
【０００５】
フランス国特許公報２６２８０６７号は、２つの主壁にそれぞれ取り付けられた、それぞれの支持ウェブに支持される２つの相補的な閉鎖形材を含む、２つの主壁を含む袋を特に提案した。壁上の支持ウェブの取り付け領域は、雄形材に重ねられず、対応する支持ウェブを壁上の取り付け領域にヒンジ結合するようにするために、むしろそれからずれている。フランス国特許公報２６２８０６７号に記載されるように、前述の配置は袋に対する内圧が閉鎖形材に加わるのを避け、閉鎖形材を離開するものである。実際に、（袋を開けるための）袋の両壁の離開は、閉鎖形材が離開する恐れなく、支持ウェブの、その取り付けによって形成されたヒンジ領域における可能な旋回運動となる。
【０００６】
この配置に対応する袋は既に主なサービスを提供しており、確実に使用者がその内容物を容易に取り出すことができなくするほどに、袋の再開口を困難にしている。
【０００７】
フランス国特許公開公報２９６３９２７号はまた、ヒンジ結合したウェブの一方が袋の内部に向けられ、ヒンジ結合したもう一方のウェブがその口に向けられるような方法で、ウェブの２つの取り付け領域が、対応する相補的形材から少し離れて、対応する相補的形材の両側に位置することも提案している。
【０００８】
これらの袋はまた、目下のところ閉鎖装置または袋の壁を損なわずに開けることが非常に困難と分かるほど、袋の壁の内部および外部の力に持ちこたえる。
【０００９】
しかし一部の例では、袋の内容物に接触するために袋を損なうことなく開け、開口後に必ず再閉鎖できることが必要であると証明され得る。
【００１０】
そのような袋は例えば食洗機用タブレットなど、有害な製品の包装の分野に用いられる。実際に、特に子供がその内容物に触れることを防ぐために、2回の使用の間に袋が閉じたままであることを使用者に保証することができること、そして親が袋を損傷する恐れなく袋を数回開け閉めできること、そして好ましくは連続開閉が難しすぎないことが重要である。
【発明の概要】
【００１１】
そのため、本発明の目的は、例えば限定されないが相補的形材の形態の開閉手段を含み、およびそのような開閉手段を容易に開けられるようにするシステムを持つ袋を提案することである。必要であれば、袋の壁の一方および／または他方に開口手段がヒンジ接合している場合、このシステムは、接合部によって生じるヒンジ効果にも関わらず大人が袋を開けることができなければならない。
【００１２】
この目的のため、本発明は、
−袋の側部と底部を規定するように合体された第１および第２の壁と、
−第１および第２の壁にそれぞれ連結された第１および第２の支持ウェブを含み、各々が相補的な閉鎖要素を含む、閉鎖アセンブリを含み、
第１の支持ウェブと袋の第１の壁との間に、袋の外側からの少なくとも１つの通路を設け、前記通路は、袋の両壁の離開の時に閉鎖要素の局所的な相対配向を変更することおよび相補的な閉鎖要素の離開を促進することの可能な、第１の支持ウェブの局所的な変形をさせるために
−第１の支持ウェブが上端と下端を有し、下端は上端よりも袋の底部に近い袋であり、
袋は、上端が袋の第１の壁に不連続に連結されていること、および：
−第１の支持ウェブの上端が、第１の部分に沿って第１の壁に連続的に取り付けられ、第２の部分に沿って前記第１の壁から連続的に離れ、かつ
−第１の支持ウェブの下端が、その高さの全部または一部にわたって、第２の部分に沿って第１の壁に連続的に取り付けられることを特徴とする袋を提案する。
【００１３】
上述の袋の一部の好ましいが限定されない特徴は、以下の：
−第１の支持ウェブの下端が、袋の側部間の第１の壁に連続的に連結されていること、
−第１の支持ウェブが下部と上部に分けられ、下部は上部よりも底部に近く、閉鎖要素を有し、第１の支持ウェブの上部が、通路を設けるように第１の壁に不連続に連結されていること、
−第１の支持ウェブが下部と上部に分けられ、下部は上部よりも底部に近く、閉鎖要素を有し、第１の支持ウェブの上部が通路を設けるために局所的に切り取られていること、
−通路は、袋の両側の間に伸びる方向に、１２ｍｍ〜３５ｍｍの間の長さを有すること、
−第２の支持ウェブが第２の壁にヒンジ結合され、相補的な閉鎖要素が係合した場合に袋の両壁にかかる張力が、前記相補的な閉鎖要素の周囲で支持ウェブの回転をもたらすこと、
−第２の支持ウェブが第２の壁上で、閉鎖要素に重ならず前記閉鎖要素に対してずれている局所領域に取り付けられ、第２の壁に第２の支持ウェブがヒンジ結合されていること、
−第２の支持ウェブが下部と上部に分けられ、下部は上部よりも底部に近く、閉鎖要素を支持し、第２の壁において第２の支持ウェブが取り付けられている局所領域が、前記第２の支持ウェブの下部の部分であること、
−第２の支持ウェブの上部の高さが、閉鎖要素の高さよりも低いこと、
−第１および第２の支持ウェブが、それぞれ第１および第２の延長ウェブを介して第１および第２の壁に連結されていて、支持ウェブの少なくとも１つがその上端から少し離れて延長ウェブに取り付けられていること、
−前記少なくとも１つの支持ウェブが、前記支持ウェブに支持される相補的な閉鎖要素に隣接する領域において対応する延長ウェブに取り付けられていること、
−袋が、第１のパネルおよび第２のパネルを有するさらなる壁をさらに含み、該第１のパネルが袋の口の近くで第２の壁に連結され、第２のパネルが第１の壁に連結され、前記さらなる壁が、第１のパネルと第２のパネルの間で折り目に沿って折り畳まれ、第１のパネルが底部に向かって延在し、第１の支持ウェブが第２の壁にさらに取り付けられ、第２の支持ウェブがさらなる壁の第２のパネルにさらに取り付けられていること、
−さらなる壁の第２のパネルが、第２の支持ウェブと折り目との間において第１の壁の側縁の近くで取り付けられていること、
−相補的な閉鎖要素が、各々、少なくとも１個の相補的な形材、好ましくは少なくとも２個の相補的形材、例えば３〜６個の間の相補的形材を含むこと、ならびに／あるいは
−相補的形材の全部または一部が、側部に実質的に平行な逐次改変、一般に逐次圧潰を含むこと
の各々または組合せである。
【図面の簡単な説明】
【００１４】
本発明のその他の特徴、目的および利点は、以下の詳細な説明から、および限定されない例として与えられる添付の図面から、より明白に明らかになることであろう。
【図１】本発明による袋の第１の実施態様の横断面図を示す図である。袋は静止している。
【図２】本発明による袋の第２の実施態様の横断面図を示す図である。袋は静止している。
【図３】本発明による袋の第３の実施態様の横断面図を示す図である。袋は静止している。
【図４】本発明による袋の第４の実施態様の横断面図を示す図である。袋は静止している。
【図５】本発明による袋の容易な開口を可能にする通路の実施態様の詳細図を示す図である。
【図６ａ】使用者が従来の方法で袋を開けようとした場合の、図５の容易な開口部を含む、本発明による袋の第１の例となる実施態様の変形実施態様の上面図を示す図である。
【図６ｂ】図６ａに記載される軸Ａ−Ａに沿った、図６ａの袋の断面図を示す図である。
【図７】使用者がその片方の親指を通路に入れ、もう一方の親指を第２の壁に沿って置いた場合の、図６ａに記載される軸Ｂ−Ａに沿った、図６ａの袋の断面図を示す図である。
【図８ａ】使用者が通路を使用し、ちょうど閉鎖要素を引き離そうとしている時の図６ａの袋の上面図を示す図である。
【図８ｂ】図８ａに記載される軸Ｂ−Ｂに沿った、図７の袋の断面図を示す図である。
【図９】閉鎖要素が離開している過程である場合の、図６ａの袋の上面図を示す図である。
【発明の具体的説明】
【００１５】
袋１は、それ自体従来の方法で、袋１の側部および底部２、ならびにその底部２の反対側に延在する口を規定するように合体された、第１および第２の壁１０、２０を含む。
【００１６】
袋１は、それ自体の上に折り返され、両側で接合された１枚のシート、または、好ましくは壁を連結し、袋１の側部および底部２を形成する辺に沿って、それらの辺のところで接合された数枚のシート、例えば２枚のシートによって作製することができる。
【００１７】
袋１は、閉鎖アセンブリ３をさらに含む。閉鎖アセンブリ３は、口の近くに延在する。
【００１８】
閉鎖アセンブリ３は、第１および第２の壁１０、２０にそれぞれ連結された第１および第２の支持ウェブ３０、３２を含む。各々の支持ウェブ３０、３２は、少なくとも１個の相補的な閉鎖要素３４、例えば相補的な形材、ベルクロテープ型などのものを支持する。
【００１９】
第１の支持ウェブ３０は、上部３０ａおよび下部３０ｂを有し、上部３０ａは下部３０ｂよりも袋１の口に近い。さらに、下部３０ｂは、閉鎖要素３４の全部または一部を支持する。
【００２０】
袋の壁１を離開する時に閉鎖要素３４の局所的な相対配向を変更することおよび閉鎖アセンブリ３の開口を促進することを可能にする第１の支持ウェブ３０の局所的な変形を起こさせるために、この第１の支持ウェブ３０と袋１の第１の壁１０との間に、袋１の外からの少なくとも１つの通路を与えるために、第１の支持ウェブ３０は、その長さにわたって袋１の第１の壁１０と不連続に連結される。
【００２１】
この構成は、閉鎖アセンブリ３が開口しづらい袋１の例、例えば袋１の壁の少なくとも１つの上にヒンジ結合された閉鎖アセンブリ３などにおいて特に有利であるが、閉鎖アセンブリ３が従来通りである（ヒンジ結合されていない）袋にも用途が見出される。実のところ、閉鎖アセンブリ３を開けるために、使用者は以下のことをするだけで十分である：
−好ましくは第２の支持ウェブ３２の閉鎖要素３４の近辺で、第２の壁２０を握るために、親指の一方を袋１の外側から、つまり口から入れる、
−袋１の口から、第１の壁１０と第１の支持ウェブ３０との間に形成される通路４０（図７参照）の中へもう一方の親指を入れる。この位置で、支持ウェブは互いに実質的に平行である、そして
−図８ｂに示される第１の親指と第２の親指を用いて、前記壁に力を加えることによって、閉鎖アセンブリ３の平面に対して実質的に垂直に伸びる力がかかり、壁を離開する（図８ａおよび８ｂ参照）。
【００２２】
実際には、通路４０は、第１の支持ウェブ３０、さらには（通路４０の高さに応じて）第１の支持ウェブ３０の下部の閉鎖要素３４に力を加える点の位置を決めることを可能にする（図８ｂ参照）。このように、第２の支持ウェブ３２がヒンジ結合されている例では、両壁の離開の時に、第１の支持ウェブ３０の後ろの第１の壁１０が保持されることにより、閉鎖アセンブリ３の回転が制限され、閉鎖要素３４に力を加える方向を離開方向に近づけられる。
【００２３】
比較として、図６ａおよび６ｂに示されるように、使用者がヒンジ（領域３１または３３）を含む袋１を従来の方法で開けようとする場合壁１０、２０に加わる張力は、閉鎖アセンブリを回転させて、この力を加える方向に向けるか（図６ｂの矢印を参照）、つまり、閉鎖要素３４の離開方向に対して垂直にする（前記離開方向は支持ウェブ３０、３２の平面に対して垂直におよぶ）効果を生む。その結果、閉鎖要素３４は係合したままであり、袋１の開口を妨げる。
【００２４】
連結されるとは、本明細書では、支持ウェブ３０、３２が、関連する壁の上に、例えば接合によって付加または取り付けられているか、または前記壁１０、２０とともに一体に形成される（すなわち、一体的にかつ一個に形成される）ことを意味する。接合は、熱接合型、超音波接合であり得、例えばスポット接合、または両方（次々に実施される）であり得る。
【００２５】
当然、第１および第２の支持ウェブ３０、３２は、同じまたは異なる技術によって関連する壁１０、２０に連結され得る：例えば、第１の支持ウェブ３０は、第１の壁１０に付加または取り付けられ得、一方第２の支持ウェブ３２は、第２の壁２０と一体に形成され得る、または逆の場合もあり得る。
【００２６】
一つの実施態様では、通路４０は、使用者が第１の支持ウェブ３０の動きをより良好に防ぐことを可能にするように、第１の支持ウェブ３０の実質的な高さに沿って延在する。
【００２７】
第１の支持ウェブ３０は、例えば数個の連続した部分に分割され得、各々は、第１の壁１０と接合された、または接合されていない第１の支持ウェブ３０の部分に対応する。
【００２８】
例えば、図５に示される実施態様では、第１の支持ウェブ３０は、３つの部分Ａ、Ｂ、Ｃ、すなわち、
−袋１の側縁の１つと通路４０との間に延在し、第１の支持ウェブ３０が第１の壁１０に連結されている、第１の部分Ａ、
−通路４０に沿って延在し、通路４０を設けるために、第１の支持ウェブ３０がその高さの少なくとも一部分にわたって第１の支持ウェブ３０と連結されていない、第２の部分Ｂおよび
−袋１の他の側縁と通路４０との間に延在し、第１の支持ウェブ３０が第１の壁１０に連結されている、第３の部分Ｃ、
に分割され得る。
【００２９】
次いで、第１の支持ウェブ３０は第２の部分Ｂに沿って第１の壁１０とその高さの少なくとも一部分にわたって取り付けられていないので、事実上、袋１の第１の壁１０とその長さにわたって不連続に連結される。
【００３０】
ここで長さとは、閉鎖アセンブリ３の延在方向に沿って延び、袋１の側部間におよぶ寸法であると理解される。さらに、高さとは、閉鎖アセンブリ３の延在方向に対して垂直に延び、袋１の口と底部２との間におよぶ寸法であると理解される。
【００３１】
袋１は、第１の支持ウェブ３０はより多くの部分を含み得、そのうちの２つの分離された部分はその高さの一部分にわたって第１の壁１０と連結されていないことが理解される。
【００３２】
一つの実施態様では、通路４０は、第１の支持ウェブ３０の上部３０ａの高さ全体にわたって、またはおそらくは閉鎖要素３４の下にある領域に延在することができる。この目的のため、第１の支持ウェブ３０の上部３０ａは、第１および第３の部分Ａ、Ｃで第１の壁１０と、例えば接合によって連結され得るが、それは第２の部分Ｂに沿って開放されている（接合されていない）。
【００３３】
変形態様として、第１の支持ウェブ３０の上部３０ａは、局所的な切除を第２の部分Ｂに含み得、第１および第２の部分Ａ、Ｃに沿って第１の壁１０に連結され得る。この切除は、特に、第１の支持ウェブ３０の上部を、第２の部分Ｂで切り取ることによって得ることができる。
【００３４】
一つの実施態様では、閉鎖アセンブリ３の開口を容易にするために、第１の支持ウェブ３０の下部３０ｂは、その高さの全部または一部にわたって、通路４０に面して延在する領域の袋１の第１の壁１０に連続的に連結されている。通路４０の延長部分におけるこの下部３０ｂの連続連結により、第１の壁１０によって離開方向に閉鎖要素３４に加わる力を増大させ、それによってそれらの離開および閉鎖アセンブリの開口を容易にすることが可能となる。一つの実施態様では、第１の支持ウェブ３０の下部３０ｂの閉鎖要素３４の下にある、下側の領域だけが第１の壁１０と連結されている（図５参照）。このように、使用者は、閉鎖要素３４を越えて通路に親指を差し込むことができ、そのことは閉鎖要素３４の離開の始動を容易にする。
【００３５】
一般に、図５に示される実施態様では、第１の支持ウェブ３０の下部３０ｂはその高さの一部分にわたって、第２の部分Ｂに沿って第１の壁１０と連結されている（ハッチングされた領域４４を参照）。
【００３６】
所望により、第１の支持ウェブ３０の下部３０ｂの第１の壁１０への取り付けを強化するために、一方で第１および第２の部分Ａ、Ｂ間の境界と、他方で第２および第３の部分Ｂ、Ｃ間の境界で（下部３０ｂが第１の壁に接合されている高さに関係なく）、横接合４２をさらに行うことができる。注意されたいのは、そのような横接合４２により、第１の支持ウェブ１０の取り付けを強化することに加えて、通路４０が存在するにもかかわらず、第２の部分Ｂで袋１の内部と外部との間の密閉を確実にすることができる。
【００３７】
第１および第３の部分Ａ、Ｃで、下部３０ｂは、開放されたままであってもよいし（図５に示すようにハッチングされた領域が第１の支持ウェブ３０の接合部分を表す）、または、その高さの全部または一部にわたって袋１の第１の壁１０と連続的に連結されていてもよく、その場合、下部は袋１の一方の側部から他方の側部までの下の壁に連結されている。
【００３８】
親指、好ましくは成人の親指の通路４０を可能にするために、通路４０は、袋１の側部間の閉鎖アセンブリ３の延在方向に沿って、１２ｍｍ〜３５ｍｍの間の長さを有する。
【００３９】
一つの実施態様では、通路４０は、袋１の側部の他方よりも前記側部の一方に近く、中央に延在していない。したがって、通路４０は、袋１の操作の時に力が加わりにくい。一般に、通路４０の縁は、袋１の側部間の距離の１０％〜３０％の間の距離に延在し得る、すなわち、側部間の長さが１００ｍｍである袋１に関して、通路４０の縁は、側部の一方から１０ｍｍ〜３０ｍｍの間の距離に延在する。
【００４０】
一つの実施態様では、各閉鎖要素３４は、図３〜９に示されるように数個の相補的形材、好ましくは３〜６個の相補的形材、例えば５個を含む。
【００４１】
数個の相補的形材３４の存在が、それらの閉鎖を保証するために必要な確さを減らすことによって、袋１の壁１０、２０の外面からの閉鎖アセンブリ３の係合を容易にすることが実際に可能になる。さらに、袋１の壁１０、２０の内部および外部の力に対してより持ちこたえられることが保証される。
【００４２】
相補的形材３４は、雄／雌、雄／雄（図に示されるように矢印のような形状の形材）、ベルクロまたはさらに相補的フック型のものであり得る。
【００４３】
相補的形材３４は、相補的形材３４に沿って支持ウェブに対して横断する方向に連続した改変を形成することによって、逐次改変することができる。逐次改変は、相補的形材３４の局所的な逐次改変であり、それは材料を除去しない逐次圧潰および／または逐次切込み（すなわち逐次圧潰だけかまたは逐次切込みだけ、あるいは逐次圧潰と逐次切込みの両方）および／または材料を除去する逐次切除を特に含み得る。特に、逐次改変の例となる実施態様を記載する、本出願人名義の国際出願ＥＰ２０１２／０７３１８６号が参照され得る。
【００４４】
一つの実施態様では、相補的形材３４の全部または一部は、逐次改変を含み得る。したがって、複数個の相補的形材３４は、逐次改変を含み得るが、一方、少なくとも１個の相補的形材３４は、改変されないままであり得、またはその逆もでもあり得る。
【００４５】
ここで、閉鎖アセンブリ３の例は、添付の図１〜４に関連づけて以下に説明される。
しかし、本発明が、袋１の壁１０、２０上に１体に形成されたか、または前記壁１０、２０上に付加され取り付けられた支持ウェブ３０、３２を含み、閉鎖要素３４を含むどんな閉鎖アセンブリ３に適用される範囲において、これらは限定されない実施態様である。
【００４６】
これからの実施態様では、相補的な閉鎖要素３４が係合した場合に袋１の壁にかかる張力が、前記相補的な閉鎖要素３４の周りでの支持ウェブ３０、３２の回転をもたらすように、第２の支持ウェブ３２を第２の壁２０にヒンジ結合することができる。
【００４７】
図１に示される第１の実施態様によれば、閉鎖要素３４に重ならず、前記閉鎖要素に対してずれている局所領域３３において、第２の壁２０上に第２の支持ウェブ３２が取り付けられ、第２の支持ウェブ３２が第２の壁２０にヒンジ結合されている。そのような取り付けは、例えば本出願人名義の文書ＦＲ２６２８０６７号に記載されており、その内容は参照により本明細書に援用される。
【００４８】
フランス国特許公報２６２８０６７号に記載されるように、前述の配置は、袋１の内圧が閉鎖要素３４に加わり、それらを離開して行くのを回避することを可能にする。実際に、この配置のおかげで、（袋を開けるための）袋１の両壁の離開により、閉鎖要素３４の離開の恐れなく、支持ウェブの、その取り付けによって形成されたヒンジ領域において可能な旋回運動が導かれる。
【００４９】
フランス国特許公報２６２８０６７号では、局所領域は、袋１の内容物によって閉鎖アセンブリ３に加わる内圧によって袋１が開口する危険性を回避するために第２の支持ウェブ３２の上部３２ａに延在する。
【００５０】
変形態様として、局所領域は、外側からの袋１の開口を防ぐために第２の支持ウェブ３２の下部３２ｂに延在し得る。特に子供による、袋１の開口の可能性をさらに減らすために、第２の支持ウェブ３２の上部３２ａは、高さを低くすることができる。このように、第２の支持ウェブ３２を握ることはできなくなり、従って通路４０の利用が必要となる。例えば、第２の支持ウェブ３２の高さは、閉鎖要素３４の高さよりも低いことがあり得る。例となる一つの実施態様では、第２の支持ウェブの上部の高さは、１ｍｍ以下であり得る。
【００５１】
図２に示されるさらに別の変形態様によれば、２つの支持ウェブ３０、３２は、局所領域３１、３３で面している壁１０、２０に連結され得る。局所領域３１、３３は、支持ウェブ３０、３２のそれぞれの向かい合う部分（ここでは上部３０ａと下部３２ｂ）に、それぞれ相補的な閉鎖要素３４の一方と他方に配置され得るので、ヒンジ結合されたウェブの一方（ここでは第１の支持ウェブ３０）は、袋１の内部に向けられ、他方のヒンジ結合されたウェブ（ここでは第２の支持ウェブ３２）は、その口に向けられる。そのような構成は、例えばその内容が参照により本明細書に援用される、本出願人名義の文書ＦＲ２６２８０６７号に記載され、図２に示される。あるいは、局所領域３１、３３は、向かい合って延在する支持ウェブ３０、３２のそれぞれの部分、つまりウェブ３０、３２の上部３０ａ、３２ａまたはそれらの下部３０ｂ、３２ｂに配置され得る。
【００５２】
図３に示される第２の例となる実施態様によれば、第１および第２の支持ウェブ３０、３２は、それぞれ、第１および第２の延長ウェブ１２、１４を介して第１および第２の壁１０、２０に連結され、支持ウェブ３０、３２の少なくとも１つは、その上部３０ａ、３２ａから少し離れて延長ウェブに取り付けられ得る。そのような取り付けは、例えば本出願人名義の文書ＦＲ１４５８２８８号に記載されており、その内容は参照により本明細書に援用される。
【００５３】
文書ＦＲ１４５８２８８号では、支持ウェブ３０、３２は、前記支持ウェブ３０、３２に支持される相補的な閉鎖要素３４に隣接する領域で、対応する延長ウェブ１２、１４に取り付けられ得る。一つの変形実施態様では、２つの支持ウェブ３０、３２はそれぞれ関連する延長ウェブ１２、１４の一つに連結されている。
【００５４】
図４に示される第３の例となる実施態様によれば、袋１は、第１のパネル１７および第２のパネル１８を有するさらなる壁１６をさらに含む。さらなる壁１６の第１のパネル１７は、袋１の口の近くで第２の壁２０に連結され、一方、第２のパネル１８は、第１の壁１０に連結されている。さらなる壁１６は、第１のパネル１７と第２のパネル１８の間で折り目１９に沿って折り畳まれているので、第２のパネル１８は、口に向かって延在する。さらに、第１の支持ウェブ３０は、第２の壁２０にさらに取り付けられ、第２の支持ウェブ３２は、さらなる壁１６の第２のパネル１８に取り付けられる。そのような取り付けは、例えば本出願人名義の文書ＦＲ１５５３１４３号に記載されており、その内容は参照により本明細書に援用される。
【００５５】
文書ＦＲ１５５３１４３号では、口での単純な張力による袋１の開口をより困難にするために、さらなる壁１６の第２のパネル１８は、第２の支持ウェブ３２と折り目１９との間の、第１の壁１０の側部の近くでさらに取り付けられ得る。
【００５６】
袋１の壁１０、２０は、子供が壁１０、２０を通して閉鎖アセンブリ３を見る可能性を減らすために、不透明な（透明でない）材料で作製され得る。
【００５７】
壁１０、２０、支持ウェブ３０、３２および相補的な閉鎖要素３４は、単一の材料で、特に次の材料のうちの１つ：ポリプロピレン  ＰＰ、ポリ（エチレンテレフタラート）ＰＥＴ、ポリエチレン  ＰＥ、高密度ポリエチレン  ＨＤＰＥ、低密度ポリエチレン  ＬＤＰＥおよびそれらの関連する共重合体、エチレン共重合体および／またはプロピレン共重合体、だけで実現され得る。
【００５８】
変形態様として、袋１のこれらの異なる要素は、異なる材料で作製され得る。限定されないが、ポリ（エチレンテレフタラート）および／またはポリエチレンで作製された第１の壁１０および第２の壁２０およびポリプロピレンの閉鎖アセンブリ３（支持ウェブ３０、３２および相補的な閉鎖要素３４）を含む袋を挙げることもできる。
【００５９】
さらに、第１および第２の壁１０、２０は、特に前記壁が上記の材料の１つから形成される場合には、３０μｍ〜２００μｍの間、一般に約６０μｍ〜１５０μｍの厚さを有し得る。当然、これらの壁が異なる材料からなる複数の層を含む複合材料から作製され得ることは明白である。
【図１】
0006538278.tif 000002
【図２】
0006538278.tif 000003
【図３】
0006538278.tif 000004
【図４】
0006538278.tif 000005
【図５】
0006538278.tif 000006
【図６ａ】
0006538278.tif 000007
【図６ｂ】
0006538278.tif 000008
【図７】
0006538278.tif 000009
【図８ａ】
0006538278.tif 000010
【図８ｂ】
0006538278.tif 000011
【図９】
0006538278.tif 000012